(57)【要約】      （修正有）【課題】乗りかごの状況に応じて、かご室内からでもかご上からでも容易にケース部を開放することができる点検・保守作業性に優れたエレベータ乗りかごの天井照明装置を提供する。【解決手段】天井照明装置は、複数の照明灯２６と照明枠２３と、透光面２４ｂを有し、照明枠２３に対して片側が回動可能に枢支されたケース部２４と、照明枠２３に対して閉じる閉止位置への固定および固定解除をするためのロック装置３０を備えている。ロック装置３０は、固定フック３２と、ロック側ラッチ３５と、ロック位置から回動してロック側ラッチ３５の係合を外す解除側ラッチ３６とからなる開閉式のラッチ部３４と、ケース部２４の側面と照明枠２３の間の隙間からロック側ラッチ３５を開くロック解除操作を可能な第１操作部４３ａと、天井板２２側からロック解除操作を可能な第２操作部４３ｂとを備えている。【選択図】図６
2017121994.tif 000002
【特許請求の範囲】
【請求項１】
エレベータの乗りかごの天井に取り付けられる照明装置であって、
かご室内を照明する複数の照明灯と、
前記照明灯を取り囲むように前記天井板に固定される照明枠と、
前記照明灯からの光を下方に透過させる透光面を有し、前記照明枠に対して片側が回動可能に枢支されたケース部と、
前記ケース部の枢支側とは反対側で、前記ケース部の側面内側に配置され、前記照明枠に対して閉じる閉止位置への固定および固定解除をするためのロック装置と、を備え、
前記ロック装置は、
前記照明枠に取り付けられた固定フックと、
前記固定フックに着脱可能に係合するロック側ラッチと、ロック位置から回動して前記ロック側ラッチの係合を外す解除側ラッチとからなる開閉式のラッチ部と、
前記ケース部の側面と前記照明枠の間の隙間から前記ロック側ラッチを開くロック解除操作を可能な第１操作部と、
前記天井板側から前記ロック解除操作を可能な第２操作部と、を備えたことを特徴とするエレベータ乗りかごの天井照明装置。
【請求項２】
エレベータの乗りかごの天井に取り付けられる照明装置であって、
かご室の天井板に固定される照明枠と、
かご室内を照明する複数の照明灯が配置され、前記照明灯からの光を下方に透過させる透光面を有し、前記照明枠に対して片側が回動可能に枢支されたケース部と、
前記ケース部の枢支側とは反対側で、前記ケース部の側面内側に配置され、前記照明枠に対して閉じる閉止位置への固定および固定解除をするためのロック機構と、を備え、
前記ロック機構は、
前記照明枠に取り付けられた固定フックと、
前記固定フックに着脱可能に係合するロック側ラッチと、ロック位置から回動して前記ロック側ラッチの係合を外す操作側ラッチとからなる開閉式のラッチ部と、
前記ケース部の側面と前記照明枠の間の隙間から前記ラッチ部を開くロック解除操作を可能な第１操作部と、
前記天井板側から前記ロック解除操作を可能な第２操作部と、を備えたことを特徴とするエレベータ乗りかごの天井照明装置。
【請求項３】
エレベータの乗りかごの天井に取り付けられる照明装置であって、
かご室の天井板に固定される照明枠と、
かご室内を直接に照明する複数の照明灯が取り付けられ、前記照明枠に対して片側が回動可能に枢支されたケース部と、
前記ケース部の枢支側とは反対側で、前記ケース部の側面内側に配置され、前記照明枠に対して閉じる閉止位置への固定および固定解除をするためのロック機構と、を備え、
前記ロック機構は、
前記照明枠に取り付けられた固定フックと、
前記固定フックに着脱可能に係合するロック側ラッチと、ロック位置から回動して前記ロック側ラッチの係合を外す操作側ラッチとからなる開閉式のラッチ部と、
前記ケース部の側面と前記照明枠の間の隙間から前記ラッチ部を開くロック解除操作を可能な第１操作部と、
前記天井板側から前記ロック解除操作を可能な第２操作部と、を備えたことを特徴とするエレベータ乗りかごの天井照明装置。
【請求項４】
前記第１操作部は、前記隙間を横断するように前記解除側ラッチから突き出た棒状の部材からなり、前記第２操作部は、前記ケース部内部に突き出た棒状の部材からなり、前記第１操作部と第２操作部は前記解除側ラッチと連結された同軸の操作部をなすことを特徴とする請求項１乃至３のいずれかの項に記載のエレベータ乗りかごの天井照明装置。
【請求項５】
前記第１操作部は、前記隙間を横断するように前記解除側ラッチから突き出た棒状の部材からなり、前記第２操作部は、前記解除側ラッチと連結され、前記解除側ラッチをロック位置から回動させるてこ型のロック解除レバーからなることを特徴とする請求項１乃至３のいずれかの項に記載のエレベータ乗りかごの天井照明装置。
【請求項６】
エレベータの乗りかごの天井に取り付けられる照明装置であって、
かご室内を照明する複数の照明灯と、
前記照明灯を取り囲むように前記天井板に固定される照明枠と、
前記照明灯からの光を下方に透過させる透光面を有し、前記照明枠に対して片側が回動可能に枢支されたケース部と、
前記ケース部の枢支側とは反対側で、前記ケース部の側面内側に配置され、前記照明枠に対して閉じる閉止位置への固定および固定解除をするためのロック装置と、を備え、
前記ロック機構は、
前記ケース部に固定され、前記ケース部の側面と前記照明枠の間の隙間を横断するように前記ケース部から突き出し、前記隙間を通して下からねじ要素を締結するねじ締結部を有する第１ブラケットと、
前記ねじ締結部と上から重なり合うねじ締結部を有する下フランジと、前記照明枠側に締結されるねじ締結部を有する上フランジと、を有する第２ブラケットと、を備えたことを特徴とするエレベータ乗りかごの天井照明装置。
【請求項７】
エレベータの乗りかごの天井に取り付けられる照明装置であって、
かご室の天井板に固定される照明枠と、
かご室内を照明する複数の照明灯が配置され、前記照明灯からの光を下方に透過させる透光面を有し、前記照明枠に対して片側が回動可能に枢支されたケース部と、
前記ケース部の枢支側とは反対側で、前記ケース部の側面内側に配置され、前記照明枠に対して閉じる閉止位置への固定および固定解除をするためのロック機構と、を備え、
前記ロック機構は、
前記ケース部に固定され、前記ケース部の側面と前記照明枠の間の隙間を横断するように前記ケース部から突き出し、前記隙間を通して下からねじ要素を締結するねじ締結部を有する第１ブラケットと、
前記ねじ締結部と上から重なり合うねじ締結部を有する下フランジと、前記照明枠側に締結されるねじ締結部を有する上フランジと、を有する第２ブラケットと、を備えたことを特徴とするエレベータ乗りかごの天井照明装置。
【請求項８】
エレベータの乗りかごの天井に取り付けられる照明装置であって、
かご室の天井板に固定される照明枠と、
かご室内を直接に照明する複数の照明灯が取り付けられ、前記照明枠に対して片側が回動可能に枢支されたケース部と、
前記ケース部の枢支側とは反対側で、前記ケース部の側面内側に配置され、前記照明枠に対して閉じる閉止位置への固定および固定解除をするためのロック機構と、を備え、
前記ロック装置は、
前記ケース部に固定され、前記ケース部の側面と前記照明枠の間の隙間を横断するように前記ケース部から突き出し、前記隙間を通して下からねじ要素を締結するねじ締結部を有する第１ブラケットと、
前記ねじ締結部と上から重なり合うねじ締結部を有する下フランジと、前記照明枠側に締結されるねじ締結部を有する上フランジと、を有する第２ブラケットと、を備えたことを特徴とするエレベータ乗りかごの天井照明装置。
【請求項９】
前記ケース部と前記第１ブラケットとを締結するねじ要素は、抜け止め付きのねじ要素であることを特徴とする請求項６乃至８のいずれかの項に記載のエレベータ乗りかごの天井照明装置。
【発明の詳細な説明】
【技術分野】
【０００１】
本発明の実施形態は、エレベータ乗りかごの天井照明装置に関する。
【背景技術】
【０００２】
エレベータの乗りかごの天井には、かご室内を明るく照らすための照明装置が設置されている。照明装置は、天井に固定された蛍光灯やＬＥＤランプなどからなる照明灯と、その照明灯を囲む照明枠と、光を透過する透光面を有するケース部を備えている。
【０００３】
通常、乗りかごの天井には、保守時に照明灯を露出させる点検口が設けられている。従来、故障したり寿命の尽きた照明灯を交換したり、ケース部内を清掃する作業は、点検作業員が乗りかごの上に上がり、天井の点検口を通じて行われている。
【０００４】
しかし、近年では、作業の安全性を重視する傾向から、照明灯の交換作業や清掃作業は、かご室内で行われるようになってきている。  
従来、かご室内での作業によって、カバーなどを着脱あるいは開閉できるようにした照明装置としては、例えば、特許文献１、２に記載されているものがある。
【先行技術文献】
【特許文献】
【０００５】
【特許文献１】特開２０１０−６５７２号公報
【特許文献１】特開２０１２−５６７３４号公報
【発明の開示】
【発明が解決しようとする課題】
【０００６】
通常、かご室内で照明灯の交換や点検を行う場合、点検作業員は、脚立などに乗って作業することになる。  
ところが、エレベータによっては、天井の高さが非常に高くなっているかご室がある。このようなかご室の場合、通常の脚立では照明装置に手が届かず、かご室内に特別に足場を組み上げて対応しなければならないことがある。この場合は、かご上からの作業の方が作業性はかえって良いからである。
【０００７】
他方、かご上で点検口を開けて作業する場合には、かご上の状況によっては、作業スペースが狭く、非常に作業性が悪いことがある。この場合には、作業内容によっては、かご室内に脚立などで足場を設けて対応した方がむしろ能率的なこともある。  
このようになことから、天井照明装置の点検、保守作業では、乗りかごの状況に応じて、かご室内からでも、乗りかご上からでも行えることが望ましい。
【０００８】
本発明は、上記従来技術の有する問題点に鑑みなされたものであって、乗りかごの状況に応じて、かご室内からでもかご上からでも容易にケース部を開放することができる点検・保守作業性に優れたエレベータ乗りかごの天井照明装置を提供することにある。
【課題を解決するための手段】
【０００９】
前記の目的を達成するために、本発明の実施形態に係るエレベータ乗りかごの天井照明装置は、エレベータの乗りかごの天井に取り付けられる照明装置であって、かご室内を照明する複数の照明灯と、前記照明灯を取り囲むように前記天井板に固定される照明枠と、前記照明灯からの光を下方に透過させる透光面を有し、前記照明枠に対して片側が回動可能に枢支されたケース部と、前記ケース部の枢支側とは反対側で、前記ケース部の側面内側に配置され、前記照明枠に対して閉じる閉止位置への固定および固定解除をするためのロック装置と、を備え、前記ロック装置は、前記照明枠に取り付けられた固定フックと、前記固定フックに着脱可能に係合するロック側ラッチと、ロック位置から回動して前記ロック側ラッチの係合を外す解除側ラッチとからなる開閉式のラッチ部と、前記ケース部の側面と前記照明枠の間の隙間から前記ロック側ラッチを開くロック解除操作を可能な第１操作部と、前記天井板側から前記ロック解除操作を可能な第２操作部と、を備えたことを特徴とするものである。
【００１０】
また、本発明の実施形態に係るエレベータ乗りかごの天井照明装置は、エレベータの乗りかごの天井に取り付けられる照明装置であって、かご室内を照明する複数の照明灯と、前記照明灯を取り囲むように前記天井板に固定される照明枠と、前記照明灯からの光を下方に透過させる透光面を有し、前記照明枠に対して片側が回動可能に枢支されたケース部と、前記ケース部の枢支側とは反対側で、前記ケース部の側面内側に配置され、前記照明枠に対して閉じる閉止位置への固定および固定解除をするためのロック装置と、を備え、前記ロック装置は、前記ケース部に固定され、前記隙間を横断するように前記ケース部から突き出し、前記隙間を通して下からねじ要素を締結するねじ締結部を有する第１ブラケットと、前記ねじ締結部と上から重なり合うねじ締結部を有する下フランジと、前記照明枠側に締結されるねじ締結部を有する上フランジと、を有する第２ブラケットと、を備えたことを特徴とするものである。
【図面の簡単な説明】
【００１１】
【図１】本発明によるエレベータ乗りかごの天井照明装置が適用される乗りかごの内部を示す斜視図である。
【図２】本発明の第１実施形態に係るエレベータ乗りかごの天井照明装置をかご室内から見上げたときの平面図である。
【図３】図２におけるＸ−Ｘ断面を示す図である。
【図４】図２におけるＹ−Ｙ断面を示す図である。
【図５】本発明の第１実施形態による天井照明装置に備えるロック装置を示す側面図である。
【図６】図５におけるＢ−Ｂ方向から見たロック装置を示す図である。
【図７】図６におけるロック装置のラッチ部が開いてロックが解除された状態を示す図である。
【図８】ロック装置のかご上からのロック解除操作を示す図である。
【図９】本発明の第２実施形態によるエレベータ乗りかごの天井照明装置の備えるロック装置の側面図である。
【図１０】図９におけるＢ−Ｂ方向からみたロック装置を示す図である。
【図１１】図１０のロック装置がロック解除された状態を示す図である。
【図１２】本発明の第３実施形態によるエレベータ乗りかごの天井照明装置の備えるロック装置の側面図である。
【図１３】ロック装置のかご室からのロック解除操作を示す図である。
【図１４】かご室からの操作によって、ケース部を固定していた止めねじが外れた状態を示す図である。
【図１５】かご室からの操作によってケース部が開放された状態を示す図である。
【図１６】ロック装置のかご上からのロック解除操作を示す図である。
【図１７】かご上からの操作によって、ケース部を固定していた止めねじが外れた状態を示す図である。
【図１８】かご上からの操作によってケース部が開放された状態を示す図である。
【図１９】図１３乃至図１５に示す止めねじに抜け止めを付けた変形例を示す図である。
【図２０】図１９において、止めねじが外れても脱落しない状態を示す図である。
【図２１】本発明の第４実施形態に係るエレベータ乗りかごの天井照明装置を示す断面図である。
【図２２】本発明の第４実施形態の変形例に係るエレベータ乗りかごの天井照明装置を示す断面図である。
【図２３】本発明の第５実施形態に係るエレベータ乗りかごの天井照明装置を示す断面図である。
【図２４】本発明の第５実施形態の変形例に係るエレベータ乗りかごの天井照明装置を示す断面図である。
【発明を実施するための最良の形態】
【００１２】
以下、本発明によるエレベータ乗りかごの天井照明装置の実施形態について、添付の図面を参照しながら説明する。  
（第１実施形態）  
図１は、本発明の第１実施形態による乗りかごの天井照明装置が取り付けられている乗りかごの内部を示す斜視図である。
【００１３】
乗りかごでは、外壁を形成する側板１０によって三方を囲まれてかご室１２が構成されている。かご出入り口に向かって左右にリターンパネル１３ａ、１３ｂが取り付けられ、上部に幕板１４が取り付けられており、かご出入口が形成されている。このかご出入口には、かごドア１５ａ、１５ｂが設けられている。参照番号１６は、かご操作盤である。天井には、本実施形態による天井照明装置２０が取り付けられ、かご室１２内を明るく照らすようになっている。
【００１４】
次に、図２乃至図４を参照して、天井照明装置２０について説明する。  
ここで、図２は、かご室１２内から見上げたときの天井照明装置２０を示す平面図（下面図）である。図３は、図２におけるＸ−Ｘ断面を示す図で、図４は、図２におけるＹ−Ｙ断面を示す図である。
【００１５】
天井照明装置２０は、大きく分けると、かご室１２の天井板２２に固定されている照明枠２３と、この照明枠２３に回動自在に取り付けられているケース部２４と、から構成されている。
【００１６】
照明枠２３は、図２に示されるように、側板１０で囲まれた面積よりも若干小さい四角枠をなしている枠である。ケース部２４は、照明枠２３の内側に収納される。この実施形態では、図３に示されるように、ケース部２４の側面２４ａと、照明枠２３との間には、数センチ程度の隙間Ｓが形成されている。この隙間Ｓを埋めるように、照明枠２３の内側面には全周に亘って隙間Ｓを隠すパッキン２５が設けられている。  
照明枠２３の内側では、複数の照明灯２６が縦横に配列して天井板２２に取り付けられている。照明灯２６としては、蛍光灯のほかに、ＬＥＤランプや白熱ランプであってもよい。また照明灯２６は、照明枠２３に取り付けるようにしてもよい。
【００１７】
ケース部２４は、すべての照明灯２６を下から覆うように、照明枠２３に対して開閉可能に取り付けられている。ケース部２４は、例えば、アクリル樹脂やガラスクロス（ガラス繊維を織り込んだ布材）を材料としており、ケース部２４を閉じた状態で天井板２２と平行になる面は、照明灯２６から発せられた光をかご室１２内へ透過する透光面２４ｂになっている。
【００１８】
図２、図３に示されるように、かご室１２の奥行き側には、ケース部２４を回動自在に支持するヒンジ２７がＬ形のブラケット２８を介して照明枠２３に配設されている。また、乗りかごの出入口に近い位置には、ケース部２４を照明枠２３に対して閉じられた閉止位置に固定するロック装置３０が２箇所に設けられている。  
図３では、ケース部２４がロック装置３０によって閉止位置に固定されている状態が示されている。ロック装置３０による固定を解除すると、２点鎖線で示すように、ケース部２４は回動して開放されるようになっている。
【００１９】
次に、図５は、図３におけるＡ部にあるロック装置３０を拡大して示す図である。図６は、図５におけるＢ−Ｂ方向からロック装置３０をみた図である。  
ロック装置３０は、Ｕ字形の固定フック３２と、この固定フック３２に着脱可能に係合する開閉式のラッチ部３４と、から構成されている。固定フック３２は、ブラケット２８の水平な面に、Ｕ形の両端部が固定されている。
【００２０】
開閉式のラッチ部３４は、ケース部２４の側面から水平に折れ曲がったリブ部２４ｃにフレーム３９を介して取り付けられており、固定フック３２に係合するロック側ラッチ３５と、ロックを解除する操作をするための解除側ラッチ３６と、からなる２つ一組のラッチから構成されている。図６には、ロック側ラッチ３５が固定フック３２に係合した状態が示されている。この状態では、ケース部２４は閉止位置に固定されている。図７には、ロック側ラッチ３５が開いて固定フック３２との係合が外れ、ケース部２４の固定ロックが解除された状態が示されている。
【００２１】
ロック側ラッチ３５の先端部は鉤状になっており、固定フック３２が係合可能な鉤溝３７が形成されている。そして、ロック側ラッチ３５は、支点３８を中心に回動可能であるが、図６において反時計回りの矢印Ｃ方向に図示しないバネによって付勢されている。  
解除側ラッチ３６は、その一端部にある支点４０を中心に回動自在である。この解除側ラッチ３６は、図示しないバネによって、図６において時計回りの矢印Ｄ方向に付勢されている。解除側ラッチ３６には、突起部４１が形成されており、この突起部４１は、ロック側ラッチ３５に形成されている凹部４２に係合するようになっている。
【００２２】
図６に示されるように、突起部４１が凹部４２に係合している状態では、ロック側ラッチ３５は、操作側ラッチ３６の突起部４１に当たって、矢印Ｃ方向への回動が阻止されるので、鉤溝３７に固定フック３２が係合しているロック状態が保持される。
【００２３】
これに対して、ロック状態の解除では、図７に示されるように、ロック側ラッチ３５を矢印Ｅ方向に回せばよい。突起部４１が凹部４２から外れると、ロック側ラッチ３５は、図示しないバネの弾性力で開くことになる。これによって、固定フック３２は、鉤溝３７から外れるので、ロック状態を解除することができる。
【００２４】
このようなロック状態の解除操作のために、解除側ラッチ３６には、図５に示すように、解除部４３が設けられている。解除部４３は、解除側ラッチ３６の支点４０とは反対側の端部に水平な姿勢で取り付けられている。解除部４３の高さ方向の位置は、パッキン２５に隠れるように、パッキン２５よりも上である。
【００２５】
この解除部４３は、照明枠２３の近傍まで延びてかご室１２内側から操作できるかご内側ロック解除部４３ａと、天井照明装置１０の内部まで延びて、かご上から操作できるかご上側ロック解除部４３ｂと、から構成されている。この実施形態では、かご内側ロック解除部４３ａとかご上側ロック解除部４３ｂは、ボルトやねじのような細長い棒状の部材から構成されており、ラッチ部３４に同軸にねじ止めされている。
【００２６】
本実施形態によるエレベータ乗りかごの天井照明装置２０は、以上のように構成されるものであり、次に、天井照明装置２０の点検・保守に際して、ロック装置３０によるケース部２４の固定を解除しケース部２４を開放させる操作との関連において、作用並びに効果について説明する。
本実施形態に係る天井照明装置２０では、点検作業員は、かご室１２内からでも、また、かご上からでも、どちらの方法によっても、ケース部２４を開放させることができる。
まず、かご室１２内で、点検作業員がケース部２４を開けるときの操作について説明する。この場合、点検作業員は、かご１２室内に置いた脚立に乗り、操作具を持つ手を頭上に伸ばして次のように操作することになる。
【００２７】
図５、図６に示すように、かご室１２内から解除操作をするには、細長い板状のロック解除操作具５０が用いられる。照明枠２３とケース部２４の側面２４ａの隙間Ｓに、パッキン２５がめくり上げるようにして、ロック解除操作具５０を入れると、ロック解除操作具５０の先端をかご内側ロック解除部４３ａに当てることができる。そして、そのままロック解除操作具５０を押し上げる。
【００２８】
図７に示されるように、突起部４１が凹部４２から外れると、ロック側ラッチ３５は、図示しないバネの弾性力で開き、これによって、固定フック３２は鉤溝３７から外れるので、ロック状態を簡単に解除することができる。ロック状態が解除された結果、図３に示されるように、ケース部２４は、ヒンジ２７を中心に旋回するようになるので、ケース部２４を開放することができる。
【００２９】
次に、かご上からのロック解除操作について図７、図８を参照して説明する。この場合、点検作業員は、乗りかごの上に乗って、天井板２２に点検口５２を開け、図８に示されるように、点検口５２から手を伸ばしてかご上側解除部４３ｂを押し上げることになる。
【００３０】
かご上側解除部４３ｂを押し上げると、図７に示すように、ロック側ラッチ３５は、図示しないバネの弾性力で開き、これによって、固定フック３２は鉤溝３７から外れるので、ロック状態を簡単に解除することができる。ケース部２４は、図３に示されるように、ヒンジ２７を中心に旋回するようになるので、ケース部２４を開放することができる。
【００３１】
なお、ケース部２４を元通りに閉止位置にロックするには、ロック側ラッチ３５が固定フック３２に当たるまで、ケース部２４を持ち上げれば、図示しないばねの弾性力によってロックが自動的にかかるようになっている。
【００３２】
以上説明したように、本実施形態によれば、点検作業員は、かご室１２内からでも、また、かご上からでも、同じような操作によって、ケース部２４を開放させることができる。例えば、天井が高いかご室のように、かご室１２内からでは作業が難しいような場合には、かご上からの解除操作を選べることができ、かご上での作業性が悪いような乗りかごであれば、かご室１２内からの解除操作を選択できるというように、ロック装置３０そのものは同一でありながら、乗りかごの状況に応じて解除方法を選択することができる。
【００３３】
また、本実施形態のように、天井のほぼ全面をケース部２５が占める天井照明装置２０の場合、照明枠２３と、ケース部２４の側面２４ａとの隙間Ｓが狭くなる。そのような狭い隙間Ｓのような狭い空間にも関わらず、かご室側からは、薄いロック解除操作具５０を入れて、かご内側ロック解除部４３ａを押し上げるだけの簡単な操作で、ロックを解除することができる。このことは、ロック解除の機構を設けるために、ケース部２４の意匠面のレイアウトなどに制約を受けることが少ないので、照明装置の意匠やレイアウトの自由度を高められる。  
【００３４】
（第２実施形態）  
次に、本発明の第２実施形態に係るエレベータ乗りかごの天井照明装置について、図９乃至図１１を参照して説明する。  
図９は、ロック装置６０の側面図である。図１０は、図９におけるＢ−Ｂ方向から、閉じているロック装置６０を示す図であり、図１１は同じ方向から開いているロック装置６０を示す図である。  
第２実施形態では、ロック装置６０を構成しているＵ字形の固定フック３２と、ラッチ部３４については、第１実施形態と同一の構成であるので、図５乃至図８と同一の構成要素には同一の参照符号を付して詳細な説明は省略する。
【００３５】
第２実施形態では、かご内側ロック解除部４３ａは、第１実施形態と同じくボルトやねじのような細長い棒状の部材から構成されているが、かご上からのロック解除には、かご上側ロック解除レバー６３が用いられている。
【００３６】
かご上側ロック解除レバー６３は、Ｌ字形のレバーである。このかご上側ロック解除レバー６３の先端部は、かご内側ロック解除部４２ａを構成しているボルトをよって解除側ラッチ３６と連結されており、力の作用点はかご内側ロック解除部４２ａの軸上にある。
【００３７】
図１０に示されるように、かご上側ロック解除レバー６３の腕の長さはＬ１、支点Ｎから作用点までの長さはＬ2である。この場合、Ｌ1＞Ｌ2であり、支点Nは、ケース部２４のリブ部２４ｃにあり、リブ部２４ｃがかご上側ロック解除レバー６３を支えるようになっている。
【００３８】
次に、ロック解除操作について図９乃至図１１を参照して説明する。
【００３９】
かご室１２内から解除操作は、ロック解除操作具５０でかご内側ロック解除部４３ａを押し上げて操作する点は、第1実施形態と同様であるので、説明は省略する。
【００４０】
次に、かご上からのロック解除操作をする場合、点検作業員は、乗りかごの上に乗って、天井板２２に点検口５２を開け、図９に示されるように、点検口５２から手を入れる。そして、図１１に示されるように、かご上側ロック解除レバー６３を押し下げることになる。
【００４１】
かご上側ロック解除レバー６３の押し下げによって、突起部４１は凹部４２から外れるので、ロック側ラッチ３５は、図示しないバネの弾性力で開き、これによって、ロック状態を簡単に解除することができる。ケース部２４は、図３に示されるように、ヒンジ２７を中心に旋回するようになるので、ケース部２４を開放することができる。  
以上のように、第２実施形態によれば、点検作業員は、かご室１２内からでも、また、かご上からでも、ケース部２４を開放させることができるので、第１実施形態と同様の効果を得ることができる。
【００４２】
特に、かご上からロックを解除する場合には、かご上側ロック解除レバー６３が、てことして働くようになっている。このため、かご上の狭い作業スペースで体勢が悪く、十分な力を加えられない状況であっても、容易にロックを解除することができる。
【００４３】
（第３実施形態）  
次に、本発明の第３実施形態に係るエレベータ乗りかごの天井照明装置について、図１２乃至図１８を参照して説明する。  
上述の第１実施形態、第２実施形態では、Ｕ字形の固定フック３２と、開閉式のラッチ部３４と、によってロック装置３０、６０が構成されている。  
これに対して、第３実施形態は、ブラケットと、ねじ要素によって簡易なロック装置７０を構成するようにした実施の形態である。
【００４４】
図１２において、ロック装置７０は、ケース部２４側に固定された第１ブラケット７１と、天井板２２側に固定された第２ブラケット７２と、これらブラケット７１、７２を締結する止めねじ７３、７４と、から構成されている。
【００４５】
第１ブラケット７１は、板状のブラケットであり、ケース部２４の側面から水平に折れ曲がったリブ部２４ｃに固着されている。第１ブラケット７１は、ケース部２４の側面から照明枠２３に向かって突き出した部分が止めねじ７３による締結部７１ａになっている。止めねじ７３は、その頭が下向きで締結部７１ａに締結される。この止めねじ７３の締結部７１ａは、パッキン２５の上に位置しており、通常は、止めねじ７３はかご室１２内からは見えないようパッキン２５によって隠されている。
【００４６】
第２ブラケット７２は、Ｚ形の型材からなるブラケットであり、照明枠２３と平行なウェブ７２ａと、下フランジ７２ｂ、上フランジ７２ｃを有している。このうち、下フランジ７２ｂは、照明枠２３に向かって突き出しており、第１ブラケット７１の締結部７１ａと重なって、止めねじ７３による締結部となっている。重なり合った下フランジ７２ａと第１ブラケットの締結部７１ａにはタップによって貫通するねじ穴が加工されている。
【００４７】
他方、上フランジ７２ｃは、下フランジ７２ｂとは反対方向にブラケット２８の下面に沿って延びており、止めねじ７４による締結部を構成している。上フランジ７２ｃとブラケット２２の重なり合った部分には、タップによって貫通するねじ穴が加工されている。このねじ穴に螺合する止めねじ７４には、蝶ねじが用いられ、頭が上になるように締結されている。
【００４８】
次に、ロック解除操作について説明する。  
図１３に示すように、かご室１２内から解除操作をするには、ドライバ８０が用いられる。照明枠２３とケース部２４の側面の隙間Ｓに、パッキン２５をめくり上げるようにして、ドライバ８０を差し込むと、ドライバ８０の先端を止めねじ７３の頭に嵌めることができる。図１４に示すように、ドライバ８０を回して、止めねじ７３を外すと、ケース部２４のロック状態を簡単に解除することができる。その後、図１５に示されるように、ケース部２４を開放することができる。
【００４９】
次に、かご上からのロック解除操作について説明する。この場合、点検作業員は、乗りかごの上に乗って、図１６、１７に示されるように、天井板２２の点検口５２から手を伸ばして、止めねじ７４を手で回して外すことになる。止めねじ７４が外れてロック解除になると、図１８に示されるように、ケース部２４を開放することができる。
【００５０】
以上のような第３実施形態によれば、点検作業員は、かご室１２内からでも、また、かご上からでも、止めねじ７３、７４を外すという特殊な操作具も使わない簡単な操作によって、ケース部２４を開放させることができる。例えば、天井が高い乗りかごのように、かご室１２内からでは作業が難しいような場合には、かご上からの解除操作を選べることができ、かご上での作業性が悪いような乗りかごであれば、かご室１２内からの解除操作を選択できるというように、乗りかごの状況に応じて解除方法を選択することができる。
【００５１】
また、本実施形態のように、天井のほぼ全面をケース部２４が占める天井照明装置２０の場合、照明枠２３と、ケース部２４の側面２４ｃの隙間Ｓが狭くなる。そのような狭い隙間Ｓのような狭い空間にも関わらず、かご室１２側からは、ドライバ８０を入れて、止めねじ７３を外すだけの簡単な操作で、ロックを解除することができる。このことは、ロック解除の機構を設けるために、ケース部２４の意匠面のレイアウトなどに制約を受けることが少ないので、照明装置の意匠やレイアウトの自由度を高めることができる利点がある。
【００５２】
さらに、ケース部２４をロックすることに関しては、ねじによる機械的な締結であるので、第１実施形態および第２実施形態による開閉式ラッチ機構に比べると、振動などを受けてロックが解除されて不意にケース部２４が開いてしまうというような虞が少ない利点がある。
【００５３】
なお、以上説明した第３実施形態によるロック装置７０は、上述の説明のように単独で設ける実施の形態の他、第１実施形態および第２実施形態による開閉式ラッチによるロック装置３０、４０と、組み合わせるようにして、開閉式ラッチを補完するようにしてもよい。
【００５４】
（第３実施形態の変形例）  
次に、図１９、図２０は、本発明の第３実施形態の変形例であって、かご室１２内側からのロック解除に際して、止めねじ７３が抜けて脱落しないように抜け止め９０を設けるようにした実施の形態である。  
図１９に示されるように、止めねじ７３の首部には、抜け止め９０が取り付けられている。この抜け止め９０は、第１ブラケット７１に形成された穴９１よりも若干大きい径を有しており、止めねじ７３の頭とで第１ブラケット７１を挟む位置でねじ軸に固定されている。
【００５５】
かご室１２内から、天井照明装置２０の点検や照明灯２６の交換を行う場合には、脚立などに乗って作業することになる。止めねじ７３が落下してしまうと、点検等が終了して、ケース部２４を閉めて元のようにロックにするときに、止めねじ７３を探したりする余計や手間がかかったり、止めねじを失ってしまうことがある。
【００５６】
これに対して、抜け止め９０の付いた止めねじ７３を使用することで、止めねじ７３を外したときに、止めねじ７３が落下するのを確実に防止でき、また、止めねじ７３の位置をねじ穴７６に合わせる手間も低減されるので、余計な手間がかからずに作業を能率化することができる。
【００５７】
なお、かご上から取り外す止めねじ７４についても、同じような抜け止めを設けるようにしてもよい。
【００５８】
（第４実施形態）
次に、本発明の第４実施形態に係るエレベータ乗りかごの天井照明装置について、図２１、図２２を参照して説明する。  
これまで説明した第１乃至第３実施形態は、図３に示したように、天井板２２に固定されている照明枠２３に照明灯２６が収容されている形式の天井照明装置に本発明を適用した実施の形態である。  
これに対して、図２１に示す第４実施形態は、点検時に開放される方のケース部２４に照明灯２６を配置するようにした実施の形態である。これ以外の構成は第１実施形態と同様である。
【００５９】
ケース部２４の内部には、複数の照明灯２４が下向きの姿勢で配列されている。照明灯２６から発せられた光は、ケース部２４の正面の透光面２４ａを透過し、かご室１２内が照明される。
【００６０】
このようなケース部２４は、Ｌ形のブラケット２８に取り付けられ、かご室１２の奥行き側に配置されたヒンジ２７を介して照明枠２３に対して回動自在に取り付けられている。かごドア１５ａ側では、ケース部２４を照明枠２３に対して閉じられた閉止位置に固定するロック装置３０が２箇所に設けられている。  
図２１では、ケース部２４がロック装置３０によって閉止位置に固定されている状態が示されている。ロック装置３０による固定を解除すると、２点鎖線で示すように、ケース部２４は回動して開放されるようになっている。  
ロック装置３０のロック解除操作は、第１実施形態と同様であるので、その説明は省略する。ロック装置３０には、第２実施形態によるロック装置６０、第３実施形態によるロック装置７０を適用するようにしてもよい。
【００６１】
次に、図２２は、第４実施形態の変形例による天井照明装置を示す。  
この変形例では、開放可能なケース部２４に複数の照明灯９４を配置する点は、図２１の天井照明装置と同様であるが、照明灯９４をケース部２４の正面２４ｂに直接取り付けるようにした実施の形態である。
【００６２】
このケース部２４の場合、その正面２４ｃは、光を透過させる透光面にはなっておらず、正面２４ｃから突き出るようにＬＥＤ素子を光源とする照明灯９４が固定され、これら照明灯９４によって、かご室１２内が直接照明されるようになっている。  
上記以外の構成は、図２１の天井照明装置と同一であり、同一の構成要素には同一の参照番号を付して、その説明は省略する。  
以上のような形式の天井照明装置においても、第１実施形態と同様に、かご室１２内からでもかご上からでもロック装置３０のロック解除操作を行い、ケース部２４を開放することができる。なお、ロック装置３０には、第２実施形態によるロック装置６０、第３実施形態によるロック装置７０を適用するようにしてもよい。
【００６３】
（第５実施形態）  
次に、本発明の第５実施形態に係るエレベータ乗りかごの天井照明装置について、図２３、図２４を参照して説明する。  
上述した第１実施形態から第４実施形態までの天井照明装置は、いずれも照明枠２３とケース部２４を組み合わせた形式の天井照明装置である。  
これに対して、以下に説明する第５実施形態は、天井照明装置の本体を開放可能なケース部２４だけから構成した実施の形態である。
【００６４】
図２３に示されるように、三方を囲む側板１０および幕板１１の上端には、Ｌ形のブラケット２８が取り付けられ、このブラケット２８には、かご室１２内の奥行き側に配置されたヒンジ２７が取り付けられている。ケース部２４は、ヒンジ２７を介して回動自在に取り付けられている。かごドア１５ａ側では、ケース部２４を閉止位置に固定するロック装置３０がブラケット２８との間で２箇所に設けられている。
【００６５】
この第５実施形態による天井照明装置の場合、ケース部２４の側面２４ａと、側板１０および幕板１１との間には、数センチ程度の隙間Ｓが形成されている。この隙間Ｓを埋めるように、ケース部２４の側面２４ａには全周に亘って隙間Ｓを隠すパッキン２５が設けられている。
【００６６】
ケース部２４の内部には、複数の照明灯２６が配列されている。照明灯２６から発せられた光は、ケース部２４の透光面２４ａを透過し、かご室１２内が照明される。照明装置２６は、天井板２２に取り付けるようにしてもよい。また、図２２に示した第４実施形態のように、ケース部２４に照明灯９４を取り付け、これら照明灯９４によって、かご室１２を直接照明するようにしてもよい。
【００６７】
図２３では、ケース部２４がロック装置３０によって閉止位置に固定されている状態が示されている。ロック装置３０による固定を解除すると、２点鎖線で示すように、ケース部２４は回動して開放されるようになっている。ロック装置３０のロック解除操作は、第１実施形態と同様であるので、その説明は省略する。ロック装置３０には、第２実施形態によるロック装置６０、第３実施形態によるロック装置７０を適用するようにしてもよい。
【００６８】
次に、図２４は、第５実施形態の変形例による天井照明装置を示す。  
この変形例では、照明枠２３を用いずに、開放可能なケース部２４のみから天井照明装置の本体を構成する点は、図２３に示した天井照明装置と同様である。
【００６９】
図２３の天井照明装置と異なる点は、側板１０および幕板１１の上端には、天井板２２を受ける天井板受け枠１００が設けられており、これらの天井板受け枠１００を利用して、ケース部２４を開放可能に設置したところにある。
【００７０】
天井板受け枠１００には、Ｌ形のブラケット２８を介してかご室１２の奥行き側にヒンジ２７が設けられている。ケース部２４は、ヒンジ２７を介して天井板受け枠に対して回動自在に取り付けられている。かごドア１５ａ側では、ケース部２４を閉止位置に固定するロック装置３０がブラケット２８との間で２箇所に設けられている。
【００７１】
この第５実施形態の変形例による天井照明装置の場合、ケース部２４の側面２４ａと、天井板受け枠１００との間には、数センチ程度の隙間Ｓが形成され、この隙間Ｓを埋めるように、パッキン２５が設けられている。
【００７２】
ケース部２４の正面２４ｃは、光を透過させる透光面にはなっておらず、正面２４ｃから突き出るように照明灯９４が固定されている。なお、照明灯については、照明灯９４の替わりに、図２３に示したように、ケース２４の正面を透光面２４ｂとして、ケース内部に照明灯２６を収容するようにしてもよい。
【００７３】
以上のように、第５実施形態によれぱ、照明枠を用いない形式の天井照明装置においても、第１実施形態と同様に、かご室１２内からでもかご上からでもロック装置３０のロック解除操作を行い、ケース部２４を開放することができる。なお、ロック装置３０には、第２実施形態によるロック装置６０、第３実施形態によるロック装置７０を適用するようにしてもよい。
【００７４】
以上、本発明に係るエレベータ乗りかごの天井照明装置について、好適な実施形態を挙げて説明したが、これらの実施形態は、例示として挙げたもので、発明の範囲の制限を意図するものではない。もちろん、明細書に記載された新規な装置、方法およびシステムは、様々な形態で実施され得るものであり、さらに、本発明の主旨から逸脱しない範囲において、種々の省略、置換、変更が可能である。請求項およびそれらの均等物の範囲は、発明の主旨の範囲内で実施形態あるいはその改良物をカバーすることを意図している。
【符号の説明】
【００７５】
１０…側板、１２…かご室、１５ａ、１５ｂ…かごドア、１６…かご操作盤、２０…天井照明装置、２２…天井板、２３…照明枠、２４…ケース部、２５…パッキン、２６…照明灯、３０…ロック装置、３２…固定フック、３４…ラッチ部、３５…ロック側ラッチ、３６…解除側ラッチ、３７…鉤溝、４１…突起部、４２…凹部、４３…解除部、４３ａ…かご内側ロック解除部、４３ｂ…かご上側ロック解除部、５０…ロック解除操作具、６３…かご上側ロック解除レバー、７１…第１ブラケット、７２…第２ブラケット、７３…止めねじ、７４…止めねじ、９０…抜け止め、Ｓ…隙間
【図１】
2017121994.tif 000003
【図２】
2017121994.tif 000004
【図３】
2017121994.tif 000005
【図４】
2017121994.tif 000006
【図５】
2017121994.tif 000007
【図６】
2017121994.tif 000008
【図７】
2017121994.tif 000009
【図８】
2017121994.tif 000010
【図９】
2017121994.tif 000011
【図１０】
2017121994.tif 000012
【図１１】
2017121994.tif 000013
【図１２】
2017121994.tif 000014
【図１３】
2017121994.tif 000015
【図１４】
2017121994.tif 000016
【図１５】
2017121994.tif 000017
【図１６】
2017121994.tif 000018
【図１７】
2017121994.tif 000019
【図１８】
2017121994.tif 000020
【図１９】
2017121994.tif 000021
【図２０】
2017121994.tif 000022
【図２１】
2017121994.tif 000023
【図２２】
2017121994.tif 000024
【図２３】
2017121994.tif 000025
【図２４】
2017121994.tif 000026
【手続補正書】
【提出日】平成29年1月27日(2017.1.27)
【手続補正１】
【補正対象書類名】明細書
【補正対象項目名】０００９
【補正方法】変更
【補正の内容】
【０００９】
前記の目的を達成するために、本発明の実施形態に係るエレベータ乗りかごの天井照明装置は、エレベータの乗りかごの天井に取り付けられる照明装置であって、かご室内を照明する複数の照明灯と、前記照明灯を取り囲むように天井板に固定される照明枠と、前記照明灯からの光を下方に透過させる透光面を有し、前記照明枠に対して片側が回動可能に枢支されたケース部と、前記ケース部の枢支側とは反対側で、前記ケース部の側面内側に配置され、前記照明枠に対して閉じる閉止位置への固定および固定解除をするためのロック装置と、を備え、前記ロック装置は、前記照明枠に取り付けられた固定フックと、前記固定フックに着脱可能に係合するロック側ラッチと、ロック位置から回動して前記ロック側ラッチの係合を外す解除側ラッチとからなる開閉式のラッチ部と、前記ケース部の側面と前記照明枠の間の隙間から前記ロック側ラッチを開くロック解除操作を可能な第１操作部と、前記天井板側から前記ロック側ラッチを開くロック解除操作を可能な第２操作部と、を備えたことを特徴とするものである。
【手続補正２】
【補正対象書類名】明細書
【補正対象項目名】００１０
【補正方法】変更
【補正の内容】
【００１０】
また、本発明の実施形態に係るエレベータ乗りかごの天井照明装置は、エレベータの乗りかごの天井に取り付けられる照明装置であって、かご室内を照明する複数の照明灯と、
前記照明灯を取り囲むように天井板に固定される照明枠と、前記照明灯からの光を下方に透過させる透光面を有し、前記照明枠に対して片側が回動可能に枢支されたケース部と、
前記ケース部の枢支側とは反対側で、前記ケース部の側面内側に配置され、前記照明枠に対して閉じる閉止位置への固定および固定解除をするためのロック機構と、を備え、前記ロック機構は、前記ケース部に固定され、前記ケース部の側面と前記照明枠の間の隙間を横断するように前記ケース部から突き出し、前記隙間を通して下からねじ要素を締結するねじ締結部を有する第１ブラケットと、前記ねじ締結部と上から重なり合うねじ締結部を有する下フランジと、前記照明枠側に締結されるねじ締結部を有する上フランジと、を有する第２ブラケットと、を備えたことを特徴とするものである。
【手続補正３】
【補正対象書類名】特許請求の範囲
【補正対象項目名】全文
【補正方法】変更
【補正の内容】
【特許請求の範囲】
【請求項１】
エレベータの乗りかごの天井に取り付けられる照明装置であって、
かご室内を照明する複数の照明灯と、
前記照明灯を取り囲むように天井板に固定される照明枠と、
前記照明灯からの光を下方に透過させる透光面を有し、前記照明枠に対して片側が回動可能に枢支されたケース部と、
前記ケース部の枢支側とは反対側で、前記ケース部の側面内側に配置され、前記照明枠に対して閉じる閉止位置への固定および固定解除をするためのロック装置と、を備え、
前記ロック装置は、
前記照明枠に取り付けられた固定フックと、
前記固定フックに着脱可能に係合するロック側ラッチと、ロック位置から回動して前記ロック側ラッチの係合を外す解除側ラッチとからなる開閉式のラッチ部と、
前記ケース部の側面と前記照明枠の間の隙間から前記ロック側ラッチを開くロック解除操作を可能な第１操作部と、
前記天井板側から前記ロック側ラッチを開くロック解除操作を可能な第２操作部と、を備えたことを特徴とするエレベータ乗りかごの天井照明装置。
【請求項２】
エレベータの乗りかごの天井に取り付けられる照明装置であって、
かご室の天井板に固定される照明枠と、
かご室内を照明する複数の照明灯が配置され、前記照明灯からの光を下方に透過させる透光面を有し、前記照明枠に対して片側が回動可能に枢支されたケース部と、
前記ケース部の枢支側とは反対側で、前記ケース部の側面内側に配置され、前記照明枠に対して閉じる閉止位置への固定および固定解除をするためのロック機構と、を備え、
前記ロック機構は、
前記照明枠に取り付けられた固定フックと、
前記固定フックに着脱可能に係合するロック側ラッチと、ロック位置から回動して前記ロック側ラッチの係合を外す解除側ラッチとからなる開閉式のラッチ部と、
前記ケース部の側面と前記照明枠の間の隙間から前記ラッチ部を開くロック解除操作を可能な第１操作部と、
前記天井板側から前記ロック側ラッチを開くロック解除操作を可能な第２操作部と、を備えたことを特徴とするエレベータ乗りかごの天井照明装置。
【請求項３】
エレベータの乗りかごの天井に取り付けられる照明装置であって、
かご室の天井板に固定される照明枠と、
かご室内を直接に照明する複数の照明灯が取り付けられ、前記照明枠に対して片側が回動可能に枢支されたケース部と、
前記ケース部の枢支側とは反対側で、前記ケース部の側面内側に配置され、前記照明枠に対して閉じる閉止位置への固定および固定解除をするためのロック機構と、を備え、
前記ロック機構は、
前記照明枠に取り付けられた固定フックと、
前記固定フックに着脱可能に係合するロック側ラッチと、ロック位置から回動して前記ロック側ラッチの係合を外す解除側ラッチとからなる開閉式のラッチ部と、
前記ケース部の側面と前記照明枠の間の隙間から前記ラッチ部を開くロック解除操作を可能な第１操作部と、
前記天井板側から前記ロック側ラッチを開くロック解除操作を可能な第２操作部と、を備えたことを特徴とするエレベータ乗りかごの天井照明装置。
【請求項４】
前記第１操作部は、前記隙間を横断するように前記解除側ラッチから突き出た棒状の部材からなり、前記第２操作部は、前記ケース部内部に突き出た棒状の部材からなり、前記第１操作部と第２操作部は前記解除側ラッチと連結された同軸の操作部をなすことを特徴とする請求項１乃至３のいずれかの項に記載のエレベータ乗りかごの天井照明装置。
【請求項５】
前記第１操作部は、前記隙間を横断するように前記解除側ラッチから突き出た棒状の部材からなり、前記第２操作部は、前記解除側ラッチと連結され、前記解除側ラッチをロック位置から回動させるてこ型のロック解除レバーからなることを特徴とする請求項１乃至３のいずれかの項に記載のエレベータ乗りかごの天井照明装置。
【請求項６】
エレベータの乗りかごの天井に取り付けられる照明装置であって、
かご室内を照明する複数の照明灯と、
前記照明灯を取り囲むように天井板に固定される照明枠と、
前記照明灯からの光を下方に透過させる透光面を有し、前記照明枠に対して片側が回動可能に枢支されたケース部と、
前記ケース部の枢支側とは反対側で、前記ケース部の側面内側に配置され、前記照明枠に対して閉じる閉止位置への固定および固定解除をするためのロック機構と、を備え、
前記ロック機構は、
前記ケース部に固定され、前記ケース部の側面と前記照明枠の間の隙間を横断するように前記ケース部から突き出し、前記隙間を通して下からねじ要素を締結するねじ締結部を有する第１ブラケットと、
前記ねじ締結部と上から重なり合うねじ締結部を有する下フランジと、前記照明枠側に締結されるねじ締結部を有する上フランジと、を有する第２ブラケットと、を備えたことを特徴とするエレベータ乗りかごの天井照明装置。
【請求項７】
エレベータの乗りかごの天井に取り付けられる照明装置であって、
かご室の天井板に固定される照明枠と、
かご室内を照明する複数の照明灯が配置され、前記照明灯からの光を下方に透過させる透光面を有し、前記照明枠に対して片側が回動可能に枢支されたケース部と、
前記ケース部の枢支側とは反対側で、前記ケース部の側面内側に配置され、前記照明枠に対して閉じる閉止位置への固定および固定解除をするためのロック機構と、を備え、
前記ロック機構は、
前記ケース部に固定され、前記ケース部の側面と前記照明枠の間の隙間を横断するように前記ケース部から突き出し、前記隙間を通して下からねじ要素を締結するねじ締結部を有する第１ブラケットと、
前記ねじ締結部と上から重なり合うねじ締結部を有する下フランジと、前記照明枠側に締結されるねじ締結部を有する上フランジと、を有する第２ブラケットと、を備えたことを特徴とするエレベータ乗りかごの天井照明装置。
【請求項８】
エレベータの乗りかごの天井に取り付けられる照明装置であって、
かご室の天井板に固定される照明枠と、
かご室内を直接に照明する複数の照明灯が取り付けられ、前記照明枠に対して片側が回動可能に枢支されたケース部と、
前記ケース部の枢支側とは反対側で、前記ケース部の側面内側に配置され、前記照明枠に対して閉じる閉止位置への固定および固定解除をするためのロック機構と、を備え、
前記ロック機構は、
前記ケース部に固定され、前記ケース部の側面と前記照明枠の間の隙間を横断するように前記ケース部から突き出し、前記隙間を通して下からねじ要素を締結するねじ締結部を有する第１ブラケットと、
前記ねじ締結部と上から重なり合うねじ締結部を有する下フランジと、前記照明枠側に締結されるねじ締結部を有する上フランジと、を有する第２ブラケットと、を備えたことを特徴とするエレベータ乗りかごの天井照明装置。
【請求項９】
前記ケース部と前記第１ブラケットとを締結するねじ要素は、抜け止め付きのねじ要素であることを特徴とする請求項６乃至８のいずれかの項に記載のエレベータ乗りかごの天井照明装置。